【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
外部装置とネットワークを介して通信可能な情報処理装置であって、
人感センサと、
前記外部装置が送信した第１のシャットダウン要求及び第２のシャットダウン要求を、前記ネットワークを介して、受信する受信手段と、
前記受信手段によって受信された前記第１のシャットダウン要求に従って前記情報処理装置をシャットダウンするシャットダウン手段と、
前記受信手段によって受信された前記第２のシャットダウン要求に従って前記情報処理装置をシャットダウンするか否かを、前記人感センサの感知結果に基づいて決定する決定手段と、を備えることを特徴とする情報処理装置。
【請求項２】
前記決定手段は、少なくとも前記人感センサが人の存在を検知している間は、前記情報処理装置をシャットダウンしないと判定する、ことを特徴とする請求項１に記載の情報処理装置。
【請求項３】
前記決定手段は、前記人感センサが人の存在を検知している間及び前記人感センサが人の存在を検知しなくなってから所定時間の間は、前記情報処理装置をシャットダウンしないと判定する、ことを特徴とする請求項２に記載の情報処理装置。
【請求項４】
前記第１のシャットダウン要求を送信するための項目及び前記第２のシャットダウン要求を送信するための項目を含む画面を前記外部装置の表示部に表示させるデータを、前記外部装置に送信する送信手段、をさらに備えることを特徴とする請求項１乃至３の何れか１項に記載の情報処理装置。
【請求項５】
前記データは、前記外部装置のウェブブラウザが前記表示部に前記画面を表示するためのデータである、ことを特徴とする請求項４に記載の情報処理装置。
【請求項６】
前記シャットダウン手段は、少なくとも待機中のジョブをキャンセルして、前記情報処理装置をシャットダウンする、ことを特徴とする請求項１乃至５の何れか１項に記載の情報処理装置。
【請求項７】
前記シャットダウン手段は、実行中のジョブ及び待機中のジョブをキャンセルして、前記情報処理装置をシャットダウンする、ことを特徴とする請求項６に記載の情報処理装置。
【請求項８】
前記ジョブは、プリントジョブ又はコピージョブである、ことを特徴とする請求項６又は７に記載の情報処理装置。
【請求項９】
前記人感センサは、人から放射される赤外線を受信する赤外線センサである、ことを特徴とする請求項１乃至８の何れか１項に記載の情報処理装置。
【請求項１０】
前記シャットダウンの実行中を示す画面を表示する表示手段、をさらに備えることを特徴とする請求項１乃至９の何れか１項に記載の情報処理装置。
【請求項１１】
前記シャットダウンは、前記情報処理装置内の所定の負荷への電力供給を停止する処理を含む、ことを特徴とする請求項１乃至１０の何れか１項に記載の情報処理装置。
【請求項１２】
外部装置とネットワークを介して通信可能であって、人感センサを備える情報処理装置の制御方法であって、
前記外部装置が送信した第１のシャットダウン要求及び第２のシャットダウン要求を、前記ネットワークを介して、受信する受信工程と、
前記受信工程で受信された前記第１のシャットダウン要求に従って前記情報処理装置をシャットダウンするシャットダウン工程と、
前記受信工程で受信された前記第２のシャットダウン要求に従って前記情報処理装置をシャットダウンするか否かを、前記人感センサの感知結果に基づいて決定する決定工程と、を有することを特徴とする情報処理装置の制御方法。
【請求項１３】
外部装置とネットワークを介して通信可能であって、人感センサを備える情報処理装置のコンピュータを、
前記外部装置が送信した第１のシャットダウン要求及び第２のシャットダウン要求を、前記ネットワークを介して、受信する受信手段、
前記受信手段によって受信された前記第１のシャットダウン要求に従って前記情報処理装置をシャットダウンするシャットダウン手段、及び、
前記受信手段によって受信された前記第２のシャットダウン要求に従って前記情報処理装置をシャットダウンするか否かを、前記人感センサの感知結果に基づいて決定する決定手段、
として機能させることを特徴とするプログラム。
【請求項１４】
外部装置とネットワークを介して通信可能な情報処理装置であって、
人感センサと、
前記外部装置が送信した第１のシャットダウン要求及び第２のシャットダウン要求を、前記ネットワークを介して、受信する受信手段と、
前記受信手段によって受信された前記第１のシャットダウン要求に従って前記情報処理装置をシャットダウンし、前記受信手段によって受信された前記第２のシャットダウン要求に従って前記人感センサの感知結果に基づいて前記情報処理装置をシャットダウンするシャットダウン手段と、を備えることを特徴とする情報処理装置。
【請求項１５】
前記シャットダウン手段は、少なくとも前記人感センサが人の存在を検知している間は、前記情報処理装置をシャットダウンしない、ことを特徴とする請求項１４に記載の情報処理装置。
【請求項１６】
前記シャットダウン手段は、前記人感センサが人の存在を検知している間及び前記人感センサが人の存在を検知しなくなってから所定時間の間は、前記情報処理装置をシャットダウンしない、ことを特徴とする請求項１５に記載の情報処理装置。
【請求項１７】
前記第１のシャットダウン要求を送信するための項目及び前記第２のシャットダウン要求を送信するための項目を含む画面を前記外部装置の表示部に表示させるデータを、前記外部装置に送信する送信手段、をさらに備えることを特徴とする請求項１４乃至１６の何れか１項に記載の情報処理装置。
【請求項１８】
前記データは、前記外部装置のウェブブラウザが前記表示部に前記画面を表示するためのデータである、ことを特徴とする請求項１７に記載の情報処理装置。
【請求項１９】
前記シャットダウン手段は、少なくとも待機中のジョブをキャンセルして、前記情報処理装置をシャットダウンする、ことを特徴とする請求項１４乃至１８の何れか１項に記載の情報処理装置。
【請求項２０】
前記シャットダウン手段は、実行中のジョブ及び待機中のジョブをキャンセルして、前記情報処理装置をシャットダウンする、ことを特徴とする請求項１９に記載の情報処理装置。
【請求項２１】
前記ジョブは、プリントジョブ又はコピージョブである、ことを特徴とする請求項１９又は２０に記載の情報処理装置。
【請求項２２】
前記人感センサは、人から放射される赤外線を受信する赤外線センサである、ことを特徴とする請求項１４乃至２１の何れか１項に記載の情報処理装置。
【請求項２３】
前記シャットダウンの実行中を示す画面を表示する表示手段、をさらに備えることを特徴とする請求項１４乃至２２の何れか１項に記載の情報処理装置。
【請求項２４】
前記シャットダウンは、前記情報処理装置内の所定の負荷への電力供給を停止する処理を含む、ことを特徴とする請求項１４乃至２３の何れか１項に記載の情報処理装置。
【請求項２５】
外部装置とネットワークを介して通信可能であって、人感センサを備える情報処理装置の制御方法であって、
前記外部装置が送信した第１のシャットダウン要求及び第２のシャットダウン要求を、前記ネットワークを介して、受信する受信工程と、
前記受信工程で受信された前記第１のシャットダウン要求に従って前記情報処理装置をシャットダウンするシャットダウン工程と、
前記受信工程で受信された前記第２のシャットダウン要求に従って前記人感センサの感知結果に基づいて前記情報処理装置をシャットダウンするシャットダウン工程と、を有することを特徴とする情報処理装置の制御方法。
【請求項２６】
外部装置とネットワークを介して通信可能であって、人感センサを備える情報処理装置のコンピュータを、
前記外部装置が送信した第１のシャットダウン要求及び第２のシャットダウン要求を、前記ネットワークを介して、受信する受信手段、
前記受信手段によって受信された前記第１のシャットダウン要求に従って前記情報処理装置をシャットダウンするシャットダウン手段、及び、
前記受信手段によって受信された前記第２のシャットダウン要求に従って前記人感センサの感知結果に基づいて前記情報処理装置をシャットダウンするシャットダウン手段、
として機能させることを特徴とするプログラム。